(57)【要約】【課題】電子機器の消費電力を低減可能な通信モジュールを得る。【解決手段】通信部５１と、接続されたホスト機器の電源状態、または、通信部が外部機器から受け取った受信データの種類、またはその双方に応じて、受信データの取り扱いを決定する制御部（通信制御部５２）とを備える。制御部は、例えば、ホスト機器の電源がオフ状態であるときにデータを受信した場合には、その受信データの種類に応じて、その受信データを取り扱うことができる。【選択図】図２
2012217069.tif 000002
【特許請求の範囲】
【請求項１】
通信部と、
接続されたホスト機器の電源状態、または、前記通信部が外部機器から受け取った受信データの種類、またはその双方に応じて、その受信データの取り扱いを決定する制御部と
を備えた通信モジュール。
【請求項２】
記憶部をさらに備え、
前記制御部は、前記ホスト機器の電源がオフ状態である場合に、前記受信データを前記記憶部に格納させるように制御を行う
請求項１に記載の通信モジュール。
【請求項３】
前記制御部は、前記受信データが緊急性を要しないものである場合に、前記受信データを前記記憶部に格納させるように制御を行う
請求項２に記載の通信モジュール。
【請求項４】
前記制御部は、前記ホスト機器の電源がオフ状態からオン状態へと遷移したとき、前記記憶部から前記受信データを読み出して前記ホスト機器に送る
請求項２に記載の通信モジュール。
【請求項５】
前記制御部は、前記受信データが前記ホスト機器を制御するためのコマンドデータであるとき、制御コマンドを前記ホスト機器に向けて発するように制御を行う
請求項１に記載の通信モジュール。
【請求項６】
前記制御部は、前記ホスト機器の電源がオフ状態であったとき、前記ホスト機器を起動させるための起動コマンドを含む１または複数の制御コマンドを前記ホスト機器に向けて発するように制御を行う
請求項５に記載の通信モジュール。
【請求項７】
前記制御部は、前記受信データが緊急性を要するものであるとき、前記通信部を介して前記受信データを外部に転送するように制御を行う
請求項１に記載の通信モジュール。
【請求項８】
前記制御部は、前記ホスト機器の電源がオフ状態となったときに、節電モードに移行する
請求項１に記載の通信モジュール。
【請求項９】
前記制御部は、前記節電モードにおいて、前記通信部を間欠的に動作させる
請求項８に記載の通信モジュール。
【請求項１０】
前記制御部は、前記ホスト機器の電源がオン状態に復帰したときに、通常モードに移行する
請求項８に記載の通信モジュール。
【請求項１１】
前記受信データは、その受信データの種類を示す識別コードを有する
請求項１に記載の通信モジュール。
【請求項１２】
前記制御部は、さらに、
ホスト機器から受け取った送信データを前記記憶部に格納させると共に、前記記憶部から前記送信データを読み出して前記通信部を介して外部に送信するように制御を行い、
前記通信部が前記送信データの送信に失敗した場合に、その送信データの種類に応じて、再送信の是非を判断する
請求項１に記載の通信モジュール。
【請求項１３】
接続されたホスト機器から受け取った送信データを格納する記憶部と、
前記記憶部から前記送信データを読み出して外部に送信する通信部と、
前記通信部が前記送信データの送信に失敗した場合に、その送信データの種類に応じて、再送信の是非を判断する制御部と
を備えた通信モジュール。
【請求項１４】
送信モジュールと、
前記送信モジュールから送信されたデータを受信する受信モジュールと
を備え、
前記送信モジュールは、
接続された送信側ホスト機器から受け取った送信データを格納する記憶部と、
前記記憶部から前記送信データを読み出して外部に送信する送信部と、
前記送信部が前記送信データの送信に失敗した場合に、その送信データの種類に応じて、再送信の是非を判断する送信制御部と
を有し、
前記受信モジュールは、
受信部と、
接続された受信側ホスト機器の電源状態、または、前記受信部が前記送信モジュールから受け取った受信データの種類、またはその双方に応じて、前記受信データの取り扱いを決定する制御部と
を有する
通信システム。
【発明の詳細な説明】
【技術分野】
【０００１】
本開示は、データを送受信する通信モジュールおよび通信システムに関する。
【背景技術】
【０００２】
近年、音楽プレーヤーやデジタルカメラをはじめとした携帯型電子機器、テレビジョン受像機、パーソナルコンピュータなど、様々な電子機器が普及している。これらの電子機器間では、有線通信や無線通信により、様々な情報がやりとりされている。これにより、例えば、パーソナルコンピュータでダウンロードした音楽データを音楽プレーヤーで聞き、あるいは、デジタルカメラで撮影した写真データをテレビジョン受像機に表示することができる。このように、電子機器間の通信は、ユーザにとって、これらの電子機器をより使いやすいものにするために欠かせないものとなっている。
【０００３】
ところで、電子機器においては、エコロジーなどの観点から消費電力の低減が望まれており、様々な試みがなされている。例えば、特許文献１には、主電源がオフであるときに、低速無線通信により電子番組表（ＥＰＧ；Electronic Program Guide）をリアルタイムに取得するコンテンツ表示システムが提案されている。このコンテンツ表示システムは、ユーザがテレビを視聴していないときであっても、消費電力が低い低速無線通信により電子番組表を取得することにより、リアルタイムな電子番組表の取得を、低い消費電力で行うものである。
【先行技術文献】
【特許文献】
【０００４】
【特許文献１】特開２００９−２５３５２８号公報
【発明の概要】
【発明が解決しようとする課題】
【０００５】
しかしながら、特許文献１には、様々な情報を機器間でやりとりする電子機器における消費電力の低減については、一切記載がない。
【０００６】
本開示はかかる問題点に鑑みてなされたもので、その目的は、電子機器の消費電力を低減可能な通信モジュールおよび通信システムを提供することにある。
【課題を解決するための手段】
【０００７】
本開示の第１の通信モジュールは、通信部と、制御部とを備えている。制御部は、接続されたホスト機器の電源状態、または、通信部が外部機器から受け取った受信データの種類、またはその双方に応じて、その受信データの取り扱いを決定するものである。
【０００８】
本開示の第２の通信モジュールは、記憶部と、通信部と、制御部とを備えている。記憶部は、接続されたホスト機器から受け取った送信データを格納するものである。通信部は、記憶部から送信データを読み出して外部に送信するものである。制御部は、通信部が送信データの送信に失敗した場合に、その送信データの種類に応じて、再送信の是非を判断するものである。
【０００９】
本開示の通信システムは、送信モジュールと、受信モジュールとを備えている。送信モジュールは、接続された送信側ホスト機器から受け取った送信データを格納する記憶部と、記憶部から送信データを読み出して外部に送信する送信部と、送信部が送信データの送信に失敗した場合に、その送信データの種類に応じて、再送信の是非を判断する送信制御部とを有するものである。受信モジュールは、受信部と、接続された受信側ホスト機器の電源状態、または、受信部が送信モジュールから受け取った受信データの種類、またはその双方に応じて、受信データの取り扱いを決定する制御部とを有するものである。
【００１０】
本開示の第１の通信モジュールおよび通信システムでは、外部機器からデータを受信した後に、その受信データに対する取り扱いが決定される。その際、その受信データに対する取り扱いは、ホスト機器の電源状態、または、受信データの種類、またはその双方に応じて決定される。
【００１１】
本開示の第２の通信モジュールおよび通信システムでは、送信データは、一旦記憶部に記憶され、その後に通信部から送信される。その際、送信データの送信に失敗した場合には、その送信データの種類に応じて、再送信の是非が判断される。
【発明の効果】
【００１２】
本開示の第１の通信モジュールおよび通信システムによれば、受信データに対する取り扱いを、ホスト機器の電源状態、または、受信データの種類、またはその双方に応じて決定するようにしたので、ホスト装置の消費電力を低減することができる。
【００１３】
本開示の第２の通信モジュールおよび通信システムによれば、送信データの送信に失敗した場合に、送信データの種類に応じて、再送信の是非を判断するようにしたので、ホスト機器の消費電力を低減することができる。
【図面の簡単な説明】
【００１４】
【図１】本開示の実施の形態に係る電子機器システムの一構成例を表す構成図である。
【図２】図１に示した表示装置の一構成例を表すブロック図である。
【図３】図１に示した電子機器システムに係る通信データの一構成例を表す説明図である。
【図４】第１の実施の形態に係るリモコンの一構成例を表すブロック図である。
【図５】第１の実施の形態に係る体重計の一構成例を表すブロック図である。
【図６】第１の実施の形態に係る電子機器システムの通常モードにおける通信動作の一例を表すタイミング波形図である。
【図７】第１の実施の形態に係る電子機器システムのスタンバイモードにおける通信動作の一例を表すタイミング波形図である。
【図８】図２に示した表示装置の通信モジュールの一動作例を表す流れ図である。
【図９】図１に示した表示装置の通信モジュールの他の動作例を表す流れ図である。
【図１０】第２の実施の形態に係る体重計の一構成例を表すブロック図である。
【図１１】図１０に示した体重計の通信動作の一例を表すタイミング波形図である。
【図１２】図１０に示した体重計の通信モジュールの一動作例を表す流れ図である。
【発明を実施するための形態】
【００１５】
以下、本開示の実施の形態について、図面を参照して詳細に説明する。なお、説明は以下の順序で行う。
１．第１の実施の形態
２．第２の実施の形態
【００１６】
＜１．第１の実施の形態＞
［構成例］
（全体構成例）
図１は、第１の実施の形態に係る電子機器システムの一構成例を表すものである。なお、本開示の実施の形態に係る通信モジュールおよび通信システムは、本実施の形態により具現化されるので、併せて説明する。電子機器システム１は、表示装置１０と、リモコン２０と、体重計３０と、血圧計４０とを備えている。
【００１７】
表示装置１０は、例えばテレビジョン受像機であり、受信した放送データを表示するものである。表示装置１０は、後述するように、リモコン２０、体重計３０および血圧計４０から、通信データＤを受信する機能を有している。また、表示装置１０は、この例では、ネットワークケーブル８を介してインターネット９に接続されている。
【００１８】
リモコン２０は、いわゆるリモートコントローラであり、表示装置１０を遠隔操作するための制御コード（通信データＤ）を表示装置１０に対して送信する機能を有している。体重計３０は、体重を測定するための機器である。この体重計３０は、この例では、体重を測定する機能に加え、その測定した結果を表示装置１０の表示画面に表示するために、表示装置１０に対してその測定結果（通信データＤ）を送信する機能を有している。血圧計４０は、血圧を測定するための機器である。この血圧計４０は、この例では、血圧を測定する機能に加え、その測定した結果を表示装置１０の表示画面に表示するために、表示装置１０に対してその測定結果（通信データＤ）を送信する機能を有している。
【００１９】
表示装置１０と、リモコン２０、体重計３０および血圧計４０との間の通信は、無線通信手段Ｍにより行われるようになっている。無線通信としては、例えば、ZigBee（登録商標）RF4CE規格に準拠した通信が使用可能である。
【００２０】
図２は、表示装置１０の一構成例を表すものである。表示装置１０は、チューナ１１と、表示制御部１２と、表示駆動部１３と、表示部１４と、記憶部１５と、電源制御部１６と、通信モジュール５０とを有している。表示装置１０は、後述するように、通常モードとスタンバイモードの２つの動作モードを有している。表示装置１０は、通常モードでは、例えばテレビ番組などを表示し、スタンバイモードでは、内部の複数のブロックに対する電源供給を停止することにより、表示を停止するようになっている。通信モジュール５０は、表示装置１０の動作モードに依らず、動作できるようになっている。
【００２１】
チューナ１１は、図示しないアンテナにおいて受信した放送データから、所望のチャンネルに係る放送データを抽出するものである。表示制御部１２は、表示部１４における表示を制御するものである。また、表示制御部１２は、この例では、記憶部１５を制御する機能とともに、通信モジュール５０に対するインターフェース機能をも有している。表示駆動部１３は、表示制御部１２から供給された信号に基づいて、表示部１４を駆動するものである。表示部１４は、表示画面に表示を行うものである。記憶部１５は、データを記憶するものである。具体的には、記憶部１５は、後述するように、通信モジュール５０から表示制御部１２に対して供給された通信データＤを記憶するようになっている。
【００２２】
電源制御部１６は、チューナ１１、表示制御部１２、表示駆動部１３、表示部１４、および記憶部１５への電源供給を制御するものである。具体的には、電源制御部１６は、通常モードでは、これらのブロックに対して電源供給を行い、スタンバイモードでは、これらのブロックに対する電源供給を停止するようになっている。また、電源制御部１６は、表示装置１０における動作モードを、電源制御信号ＰＣ１０を用いて通信モジュール５０に対して伝えるとともに、通信モジュール５０からの指示に基づいて、表示装置１０の動作モードを制御できるようになっている。
【００２３】
通信モジュール５０は、通信部５１と、通信制御部５２と、情報処理部５３と、記憶部５４と、ネットワークインターフェース部５５と、制御部５６とを有している。
【００２４】
通信部５１は、この例では、リモコン２０、体重計３０、および血圧計４０との間で、無線通信手段Ｍにより通信データＤのやりとりを行うものである。通信制御部５２は、表示装置１０の動作モード、および通信部５１において受信した通信データＤに基づいて、その通信データＤに対するその後の処理を判断するものである。また、通信制御部５２は、表示装置１０の動作モードがスタンバイモードである場合において、通信部５１が間欠的に受信動作するように制御する機能をも有している。情報処理部５３は、通信制御部５２の判断に基づいて、通信データＤに対する情報処理を行うものである。記憶部５４は、データを記憶するものである。ネットワークインターフェース部５５は、ネットワークケーブル８を介してインターネット９と接続するためのインターフェースである。制御部５６は、通信制御部５２、情報処理部５３、記憶部５４、およびネットワークインターフェース部５５を制御するものである。また、制御部５６は、電源制御部１６から供給された電源制御信号ＰＣ１０に基づいて、情報処理部５３への電源供給を制御するようになっている。
【００２５】
図３は、通信データＤの一構成例を表すものであり、（Ａ）は通信データＤの全体構成を示し、（Ｂ）はその通信データＤに係るデータ識別コードＤＣの機能を示している。通信データＤは、送受信する情報に対応する可変長のデータペイロードＤＰと、そのヘッダに対応するデータ識別コードＤＣとを有している。データ識別コードＤＣは、データペイロードＤＰのデータ種別を示すものであり、この例では、１バイト長のコードである。具体的には、例えば、データ識別コードＤＣにおいて、“００ｈ”は、データ種別が“制御データ”であることを示し、“０１ｈ”は、データ種別が“レコードデータ”であることを示し、“０２ｈ”は、データ種別が“エマージェンシーデータ”であることを示す。
【００２６】
データ種別が“制御データ”である通信データＤは、例えば、表示装置１０を制御するためのデータである。この通信データＤは、例えば、リモコン２０から送信される、表示装置１０の電源をオンオフし、あるいはチャンネルを切り換える為の制御コードなどが該当する。後述するように、通信部５１がこのような通信データＤを受信すると、通信制御部５２は、その通信データＤのデータ識別コードＤＣ（“００ｈ”）に基づいて、その通信データＤは表示装置１０に転送すべきものであると判断する。具体的には、例えば、通信部５１が、表示装置１０の電源をオンオフするように指示する通信データＤを受信した場合には、この通信制御部５２の判断に基づき、情報処理部５３が、その指示を電源制御部１６に供給する。また、例えば、通信部５１が、表示装置１０のチャンネルの切り換えを指示する通信データＤを受信した場合には、この通信制御部５２の判断に基づき、情報処理部５３が、その指示を、表示制御部１２を介してチューナ１１に供給する。
【００２７】
データ種別が“レコードデータ”である通信データＤは、後述するように、表示装置１０がスタンバイ状態の場合において、通信部５１において受信された後に、記憶部５４に一旦記録すべきデータである。後述するように、表示装置１０の動作モードがスタンバイモードである場合において、通信部５１がこのような通信データＤを受信すると、通信制御部５２は、その通信データＤのデータ識別コードＤＣ（“０１ｈ”）に基づいて、その通信データＤは記憶部５４に記憶すべきものであると判断し、その通信データＤを記憶部５４に記憶する。そして、その後に、表示装置１０の動作モードが通常モードになったときに、情報処理部５３は、通信データＤを、記憶部５４から、制御部５６および表示制御部１２を介して、記憶部１５に転送する。そして、表示制御部１２は、その通信データＤに基づいて、表示部１４において表示を行うようになっている。このような通信データＤは、例えば、体重計３０において測定された体重の測定結果や、血圧計４０において測定された血圧の測定結果などが該当する。
【００２８】
データ種別が“エマージェンシーデータ”である通信データＤは、後述するように、表示装置１０がスタンバイ状態の場合において、通信部５１において受信された後に、インターネット９に接続された所定のサーバにすぐに転送すべきデータである。後述するように、通信部５１がこのような通信データＤを受信すると、通信制御部５２は、その通信データＤのデータ識別コードＤＣ（“０２ｈ”）に基づいて、その通信データＤは所定のサーバにすぐに転送すべきものであると判断する。そして、情報処理部５３は、この通信制御部５２の判断に基づき、その受信データＤを、ネットワークインターフェース部５５を介して、インターネット９に接続された所定のサーバに転送するようになっている。このような通信データＤは、例えば、血圧計４０において測定された異常な血圧の測定結果などが該当する。この場合、この通信データＤは、例えば病院にすぐに転送されるようになっている。
【００２９】
図４は、リモコン２０の一構成例を表すものである。リモコン２０は、入力部２１と、通信部２２と、制御部２３とを有している。入力部２１は、ユーザが情報を入力するための入力インターフェースである。通信部２２は、入力部２１により入力された情報に基づいて、表示装置１０を制御するための制御コード（通信データＤ）を、表示装置１０に対して送信するものである。制御部２３は、入力部２１および通信部２２を制御するものである。また、制御部２３は、図３（Ａ）に示したフォーマットの通信データＤを生成する機能をも有している。
【００３０】
図５は、体重計３０の一構成例を表すものである。体重計３０は、測定部３１と、表示部３２と、通信部３３と、制御部３４とを有している。測定部３１は、体重を測定する機能を有している。表示部３２は、測定部３１において測定した体重の測定結果を表示するものである。通信部３３は、測定部３１において測定した体重の測定結果（通信データＤ）を、表示装置１０に対して送信するものである。制御部３４は、測定部３１、表示部３２、および通信部３３を制御するものである。また、制御部３４は、図３（Ａ）に示したフォーマットの通信データＤを生成する機能をも有している。
【００３１】
なお、血圧計４０の構成は、図５に示した体重計３０の構成と同様である。すなわち、測定部３１は、血圧を測定するものであり、表示部３２は、測定部３１において測定した血圧の測定結果を表示するものである。通信部３３は、測定部３１において測定した血圧の測定結果（通信データＤ）を、表示装置１０に対して送信するものである。制御部３４は、測定部３１、表示部３２、および通信部３３を制御するとともに、図３（Ａ）に示したフォーマットの通信データＤを生成するものである。
【００３２】
ここで、通信モジュール５０は、本開示における第１の通信モジュールの一具体例に対応する。通信部５１およびネットワークインターフェース５５は、本開示における第１の通信モジュールに係る「通信部」の一具体例に対応する。通信制御部５２は、本開示における第１の通信モジュールに係る「制御部」の一具体例に対応する。
【００３３】
［動作および作用］
続いて、本実施の形態の電子機器システム１の動作および作用について説明する。
【００３４】
（全体動作概要）
まず、図１〜図５を参照して、電子機器システム１の全体動作概要を説明する。
【００３５】
チューナ１１は、アンテナにおいて受信した放送データから、所望のチャンネルに係る放送データを抽出する。表示制御部１２は、表示部１４における表示を制御する。表示駆動部１３は、表示制御部１２から供給された信号に基づいて表示部１４を駆動する。表示部１４は、表示画面に表示を行う。記憶部１５は、通信モジュール５０から表示制御部１２を介して供給された通信データＤを記憶する。電源制御部１６は、これらのブロックへの電源供給を制御するとともに、表示装置１０における動作モードを、電源制御信号ＰＣ１０を用いて通信モジュール５０に対して伝える。
【００３６】
通信モジュール５０において、通信部５１は、リモコン２０、体重計３０、または血圧計４０から送信された通信データＤを受信する。通信制御部５２は、表示装置１０の動作モード、および通信部５１において受信した通信データＤに基づいて、その通信データＤに対するその後の処理を判断する。情報処理部５３は、通信制御部５２の判断に基づいて、通信データＤに対する情報処理を行う。記憶部５４は、表示装置１０の動作モードがスタンバイモードである場合において、通信データＤのデータ種別が“レコードデータ”である場合に、その通信データＤを記憶する。ネットワークインターフェース部５５は、通信データＤのデータ種別が“エマージェンシーデータ”である場合に、その通信データＤをインターネット９に接続された所定のサーバに転送する。制御部５６は、これらのブロックを制御する。
【００３７】
（通信動作）
次に、電子機器システム１における通信動作について、体重計３０（通信部３３）が、表示装置１０（通信部５１）に対して通信データＤを送信する場合を例に説明する。以下に、まず、表示装置１０の動作モードが通常モードである場合について説明し、その次に、表示装置１０の動作モードがスタンバイモードである場合について説明する。
【００３８】
図６は、表示装置１０の動作モードが通常モードである場合における通信動作を表すものであり、（Ａ）は通信部３３における送信動作の状態を示し、（Ｂ）は表示装置１０における電源制御信号ＰＣ１０の波形を示し、（Ｃ）は通信部５１における受信動作の状態を示す。ここで、電源制御信号ＰＣ１０において、高レベルは、表示装置１０の動作モードが通常モードであることを示し、低レベルは、その動作モードがスタンバイモードであることを示している。
【００３９】
体重計３０は、例えばユーザが体重を測定した直後や、ユーザが意識的にその測定結果を送信するための指示をした時に、その測定結果（通信データＤ）を表示装置１０に対して送信する。その際、体重計３０の通信部３３は、図６（Ａ）に示したように、ある所定の期間（送信期間Ｐd）の間、送信動作を行う。その送信期間Ｐdでは、通信部３３は、送信動作周期Ｔdrvごとに、通信データＤの送信動作を繰り返して行う。ここで、送信期間Ｐdの時間は、例えば１［sec］に設定可能である。この場合、送信動作周期Ｔdrvは、例えば１［msec］に設定することができる。
【００４０】
表示装置１０では、電源制御部１６が、通信モジュール５０に対して、その電圧レベルが高レベルである電源制御信号ＰＣ１０を供給する（図６（Ｂ））。通信モジュール５０の制御部５６は、この電源制御信号ＰＣ１０に基づいて、表示装置１０の動作モードが通常モードであることを把握し、その旨を通信制御部５２に伝える。そして、通信制御部５２は、図６（Ｃ）に示したように、通信部５１が常に受信動作状態になるように制御する。これにより、通信部５１は、表示装置１０の通信部３３が通信データＤの送信を開始すると、その通信データＤをすぐに受信することができる。
【００４１】
なお、この例では、体重計３０の通信部３３は、送信期間Ｐdの間、送信動作を繰り返し行うものとしたが、これに限定されるものではなく、例えば、表示装置１０の通信部５１に対して通信データＤの送信が完了した後には、送信を停止するようにしてもよい。
【００４２】
図７は、表示装置１０の動作モードがスタンバイモードである場合における通信動作を表すものであり、（Ａ）は通信部３３における送信動作の状態を示し、（Ｂ）は表示装置１０における電源制御信号ＰＣ１０の波形を示し、（Ｃ）は通信部５１における受信動作の状態を示す。
【００４３】
体重計３０では、通信部３３は、図７（Ａ）に示したように、図６の場合と同様に、送信期間Ｐdの間、送信動作を繰り返し行う。
【００４４】
一方、表示装置１０では、電源制御部１６が、通信モジュール５０に対して、その電圧レベルが低レベルである電源制御信号ＰＣ１０を供給する（図７（Ｂ））。通信モジュール５０の制御部５６は、この電源制御信号ＰＣ１０に基づいて、表示装置１０の動作モードがスタンバイモードであることを把握し、その旨を通信制御部５２に伝える。そして、通信制御部５２は、図７（Ｃ）に示したように、通信部５１が間欠的に受信動作を行うように制御する。具体的には、通信部５１は、受信動作周期Ｔrecごとに受信動作を繰り返して行う。そして、各周期において、受信動作を行う期間（受信動作期間Ｐrec）および受信動作を停止する期間（受信停止期間Ｐrecs）が設けられている。すなわち、通信部５１は、受信動作期間Ｐrecにおいてのみ電力を消費し、受信停止期間Ｐrecsでは電力を消費しない。ここで、受信動作周期Ｔrecの時間は、例えば１［sec］に設定可能である。この場合、各周期における受信動作の期間（受信動作期間Ｐrec）の時間は、例えば１６．８［msec］に設定可能である。
【００４５】
電子機器システム１では、この例では、送信期間Ｐdの時間が、受信動作周期Ｔrecの時間と同じになるように設定しているため、図７に示したように、表示装置１０の通信部５１が間欠動作を行う場合でも、通信部３３の送信期間Ｐdと受信動作期間Ｐrecとが重なる期間が生じる。これにより、電子機器システム１では、表示装置１０がスタンバイ状態であっても、通信を行うことができる。なお、この例では、送信期間Ｐdの時間が受信動作周期Ｔrecの時間と同じとしたが、これに限定されるものではなく、これに代えて、送信期間Ｐdの時間が受信動作周期Ｔrecの時間と同等もしくはそれ以上になるように設定してもよい。
【００４６】
このように、電子機器システム１では、表示装置１０の動作モードがスタンバイモードである場合において、通信部５１が間欠的に受信動作を行うようにしたので、消費電力を低減することができる。具体的には、例えば、受信動作時における通信部５１の消費電流が３０［mA］である場合には、このような間欠動作により、通信部５１の平均の消費電流を約０．５［mA］（＝３０［mA］×１６．８［msec］／１［sec］）にまで低減することができる。
【００４７】
また、表示装置１０の通信モジュール５０では、表示装置１０の動作モードがスタンバイモードである場合には、制御部５６は、情報処理部５３の電源がオフ状態になるように制御する。これにより、消費電力を低減することができる。
【００４８】
（表示装置１０における通信モジュール５０の詳細動作）
次に、表示装置１０における通信モジュール５０が、通信データＤを受信した場合の詳細動作について説明する。
【００４９】
図８は、通信モジュール５０の一動作例を表すものである。通信モジュール５０では、受信した通信データＤのデータ識別コードＤＣ（データ種別）に基づいて、その通信データＤに対する処理が判断される。以下に、その詳細を説明する。
【００５０】
まず、制御部５６は、表示装置１０の動作モードを確認する（ステップＳ１）。具体的には、制御部５６は、電源制御部１６から供給される電源制御信号ＰＣ１０に基づいて、表示装置１０の動作モードが、通常モードであるか、あるいはスタンバイモードであるかを確認する。そして、制御部５６は、その動作モードを通信制御部５２に対して伝える。その動作モードがスタンバイモードである場合にはステップＳ２に進み、その動作モードが通常モードである場合にはステップＳ５に進む。
【００５１】
ステップＳ１において、表示装置１０の動作モードがスタンバイモードである場合には、通信制御部５２は、受信した通信データＤのデータ種別が“レコードデータ”であるかどうかを確認する（ステップＳ２）。具体的には、通信制御部５２は、通信部５１が受信した通信データＤのデータ識別コードＤＣに基づいて、その通信データＤのデータ種別が“レコードデータ”であるかどうかを確認する。そのデータ種別が“レコードデータ”である場合にはステップＳ３に進み、そのデータ種別が“レコードデータ”でない場合にはステップＳ４に進む。
【００５２】
ステップＳ２において、受信した通信データＤのデータ種別が“レコードデータ”である場合には、通信制御部５２は、その通信データＤを記憶部５４に記憶する（ステップＳ３）。そして、このフローは終了する。
【００５３】
ステップＳ２において、受信した通信データＤのデータ種別が“レコードデータ”でない場合には、制御部５６は、情報処理部５３の電源をオン状態にする（ステップＳ４）。
【００５４】
次に、通信制御部５２は、受信した通信データＤのデータ種別が“エマージェンシーデータ”であるかどうかを確認する（ステップＳ５）。具体的には、通信制御部５２は、通信部５１が受信した通信データＤのデータ識別コードＤＣに基づいて、その通信データＤのデータ種別が“エマージェンシーデータ”であるかどうかを確認する。そのデータ種別が“エマージェンシーデータ”である場合にはステップＳ６に進み、そのデータ種別が“エマージェンシーデータ”でない場合にはステップＳ７に進む。
【００５５】
ステップＳ５において、受信した通信データＤのデータ種別が“エマージェンシーデータ”である場合には、情報処理部５３は、その通信データＤを、インターネット９に接続された所定のサーバに転送する（ステップＳ６）。具体的には、情報処理部５３は、通信制御部５２からの指示に基づいて、通信部５１が受信した通信データＤを、ネットワークインターフェース部５５を介して、インターネット９に接続された所定のサーバに送信する。
【００５６】
ステップＳ６において、受信した通信データＤのデータ種別が“エマージェンシーデータ”でない場合には、情報処理部５３は、データペイロードＤＰの情報に基づいて情報処理を行う（ステップＳ７）。具体的には、情報処理部５３は、通信制御部５２からの指示に基づいて、通信部５１が受信した通信データＤのデータペイロードＤＰの情報に応じた情報処理を行う。
【００５７】
このステップＳ７では、通信モジュール５０の動作が上述したようなフローを経ているため、表示装置１０の動作モードが通常モードである場合（ステップＳ１，Ｓ５，Ｓ７の順に進んできた場合）には、この通信データＤのデータ種別は“レコードデータ”もしくは“制御データ”である。よって、情報処理部５３は、この通信データＤが、例えば体重計３０から送信された体重の測定結果である場合（データ種別は“レコードデータ”）には、その通信データＤを、記憶部５４に記憶することなく、表示制御部１２を介して記憶部１５に送信する。そして表示制御部１２は、記憶部１５に記憶された通信データＤに基づいて表示部１４が表示を行うように制御する。また、情報処理部５３は、この通信データＤが、例えばリモコン２０から送信されたチャンネル切り換えの為の制御コードである場合（データ種別は“制御データ”）には、その通信データＤを表示制御部１２に送信する。そして、表示制御部１２は、チューナ１１がチャンネル切り換えを行うように制御する。
【００５８】
また、表示装置１０の動作モードがスタンバイモードである場合（ステップＳ１，Ｓ２，Ｓ４，Ｓ５，Ｓ７の順に進んできた場合）には、この通信データＤのデータ種別は“制御データ”である。よって、情報処理部５３は、この通信データＤが、例えばリモコン２０から送信された、表示装置１０の電源をオンにする為の制御コードである場合には、この通信データＤを電源制御部１６に送信する。そして、電源制御部１６は、表示装置１０の各ブロックに電源供給を行うことにより、表示装置１０の動作モードをスタンバイモードから通常モードに切り替える。また、情報処理部５３は、この通信データＤが、例えば表示装置１０のチャンネル切り換えの為の制御コードである場合には、表示装置１０の動作モードがスタンバイモードであるため、例えば、この通信データＤを無効なものと判断し、この通信データＤを破棄する。
【００５９】
以上でこのフローは終了する。
【００６０】
このように、表示装置１０の通信モジュール５０は、受信した通信データＤに基づいて、その通信データＤに対するその後の処理を判断する。
【００６１】
具体的には、上述したように、通信モジュール５０は、表示装置１０の動作モードがスタンバイモードである場合において、受信した通信データＤのデータ種別が“レコードデータ”である場合には、すぐになんらかのアクションを起こす必要がないと判断し、後に必要なときに処理するために、図８のステップＳ３に示したように、その通信データＤを記憶部５４に一旦記憶する。すなわち、この場合には、表示装置１０の動作モードは、スタンバイモードのままである。
【００６２】
また、通信モジュール５０は、受信した通信データＤが“エマージェンシーデータ”である場合には、すぐにアクションを起こす必要があると判断し、図８のステップＳ６に示したように、その通信データＤを所定のサーバに送信する。
【００６３】
また、通信モジュール５０は、受信した通信データＤが“制御データ”である場合には、図８のステップＳ７に示したように、データペイロードＤＰの情報に基づいて情報処理を行う。具体的には、表示装置１０の動作モードがスタンバイモードである場合において、受信した通信データＤが、表示装置１０の電源をオンにするための制御コードである場合には、通信モジュール５０は、すぐにアクションを起こす必要があると判断し、その制御コードを電源制御部１６に送信する。また、例えば、表示装置１０の動作モードがスタンバイモードである場合において、受信した通信データＤが、表示装置１０のチャンネル切り換えの為の制御コードである場合には、例えば、この通信データＤを無効なものと判断し、この通信データＤを破棄する。
【００６４】
このように、通信モジュール５０は、受信した通信データＤに基づいて、その通信データＤに対するその後の処理を判断するようにしたので、その通信データＤに応じて表示装置１０の各ブロックに対する電源制御を行うことができ、消費電力を低減することができる。
【００６５】
上述したように、表示装置１０の動作モードがスタンバイモードである場合において、受信した通信データＤのデータ種別が“レコードデータ”である場合には、図８のステップＳ３に示したように、その通信データＤは記憶部５４に記憶される。このとき、表示装置１０はスタンバイ状態のままである。この記憶部５４に記憶された通信データＤは、ユーザが表示装置１０の電源をオンにしたときに、制御部５６および表示制御部１２を介して記憶部１５に転送される。以下に、この動作について説明する。
【００６６】
図９は、ユーザが表示装置１０の電源をオンにしたときの、通信モジュール５０の一動作例を表すものである。
【００６７】
まず、情報処理部５３は、記憶部５４に通信データＤが記憶されているかどうかを確認する（ステップＳ１１）。記憶部５４に通信データＤが記憶されている場合にはステップＳ１２に進み、通信データＤが記憶されていない場合には、このフローを終了する。
【００６８】
ステップＳ１１において、記憶部５４に通信データＤが記憶されている場合において、情報処理部５３は、記憶部５４に記憶されている通信データＤを、制御部５６および表示制御部１２を介して、記憶部１５に対して送信する（ステップＳ１２）。そして、表示制御部１２は、記憶部１５に記憶された通信データＤ（例えば体重計３０から送信された体重の測定結果）に基づいて表示部１４が表示を行うように制御する。
【００６９】
次に、情報処理部５３は、記憶部５４に記憶されている通信データＤを消去する（ステップＳ１３）。
【００７０】
以上でこのフローは終了する。
【００７１】
このように、表示装置１０の通信モジュール５０は、表示装置１０の動作モードがスタンバイモードである場合において、受信した通信データＤのデータ種別が“レコードデータ”である場合には、その通信データＤを記憶部５４に一旦記憶し（図８のステップＳ３）、その後、ユーザが表示装置１０の電源をオンにしたときに、その通信データＤを記憶部１５に送信する（図９のステップＳ１２）。すなわち、このような通信データＤは、すぐになんらかのアクションを起こす必要がないものであるため、通信モジュール５０は、このような通信データＤを受信したときに、すぐに表示装置１０の動作モードをスタンバイモードから通常モードに変更せず、記憶部５４に一旦記憶し、その後、ユーザが表示装置１０の電源をオンにすることにより、表示装置１０の動作モードが通常モードになったときに、その通信データＤを記憶部１５に送信する。
【００７２】
このように、通信モジュール５０に記憶部５４を設け、表示装置１０の動作モードがスタンバイモードである場合において、受信した通信データＤのデータ種別が“レコードデータ”である場合に、後に必要なときに処理するためにその通信データＤを記憶部５４に一旦記憶するようにしたので、受信時に表示装置１０の動作モードを通常モードにしないため、消費電力を低減することができる。
【００７３】
［効果］
以上のように本実施の形態では、表示装置がスタンバイ状態でも受信できるようにしたので、受信のために表示装置を通常動作状態にしておく必要がないため、表示装置の消費電力を低減することができる。
【００７４】
また、本実施の形態では、表示装置の動作モードがスタンバイモードである場合には、表示装置の通信部が間欠的に受信動作を行うようにしたので、その通信部の消費電力を低減することができる。
【００７５】
また、本実施の形態では、受信した通信データに基づいて、その通信データに対するその後の処理を判断するようにしたので、その通信データに応じて表示装置の各ブロックに対する電源制御を行うことができ、消費電力を低減することができる。
【００７６】
また、本実施の形態では、通信モジュールに記憶部を設け、表示装置の動作モードがスタンバイモードである場合において、受信した通信データのデータ種別が“レコードデータ”である場合に、後に必要なときに処理するためにその通信データをその記憶部に一旦記憶するようにしたので、受信時に表示装置の動作モードを通常モードにする必要がないため、消費電力を低減することができる。
【００７７】
［変形例１−１］
上記実施の形態では、電子機器システム１は、リモコン２０と、体重計３０と、血圧計４０とを備えるようにしたが、これに限定されるものではなく、表示装置１０と通信データＤをやり取りする電子機器であれば、例えば携帯情報端末など、どのような電子機器を備えていてもよい。
【００７８】
［変形例１−２］
上記実施の形態では、表示装置１０は、受信した通信データＤのデータ種別が“エマージェンシーデータ”である場合において、その通信データＤをインターネット９に接続された所定のサーバに転送するようにしたが、これに限定されるものではない。例えば、通信データＤが、血圧計４０において測定された異常な血圧の測定結果である場合において、表示装置１０は、その測定結果を、かかりつけの医師のメールアドレスに送信してもよいし、表示装置１０が電話網に接続されている場合には、かかりつけの医師に電話をかけ、測定結果が異常である旨を通知するようにしてもよい。
【００７９】
［変形例１−３］
上記実施の形態では、表示装置１０の動作モードがスタンバイモードであるときに受信した通信データＤが、表示装置１０のチャンネル切り換えの為の制御コードである場合には、この通信データＤを破棄するようにしたが、これに限定されるものではなく、これに代えて、例えば、表示装置１０の電源をオン状態にするように電源制御部１６を制御するとともに、この通信データＤに基づいて表示装置１０のチャンネルを切り換えるようにチューナ１１を制御してもよい。
【００８０】
＜２．第２の実施の形態＞
次に、第２の実施の形態に係る電子機器システム２について説明する。なお、本開示の実施の形態に係る受信装置および送受信システムは、本実施の形態により具現化されるので、併せて説明する。本実施の形態は、通信データＤを送信するリモコン、体重計、血圧計等が、記憶部をもつ通信モジュールを備えたものである。上記第１の実施の形態に係る電子機器システム２と実質的に同一の構成部分には同一の符号を付し、適宜説明を省略する。なお、以下では、記憶部をもつ通信モジュールを備えた電子機器として、体重計を例に説明する。
【００８１】
図１０は、本実施の形態の電子機器システム２に係る体重計７０の一構成例を表すものである。体重計７０は、電源制御部７１と、通信モジュール９０とを備えている。体重計７０は、通常モードとスタンバイモードの２つの動作モードを有している。この体重計７０は、通常モードでは、例えば体重を測定するとともに、その結果を表示し、スタンバイモードでは、内部の複数のブロックに対する電源供給を停止することにより、動作を停止するようになっている。通信モジュール９０は、体重計７０の動作モードに依らず、動作できるようになっている。
【００８２】
電源制御部７１は、測定部３１、表示部３２、および制御部３４への電源供給を制御するものである。具体的には、電源制御部７１は、通常モードでは、これらのブロックに対して電源供給を行い、スタンバイモードでは、これらのブロックに対する電源供給を停止するようになっている。また、電源制御部７１は、体重計７０における動作モードを、電源制御信号ＰＣ７０を用いて通信モジュール９０に対して伝える機能を有している。
【００８３】
通信モジュール９０は、通信部９１と、記憶部９４と、情報処理部９３と、通信制御部９２と、制御部９６とを有している。
【００８４】
通信部９１は、この例では、表示装置１０との間で、無線通信手段Ｍにより通信データＤのやりとりを行うものである。記憶部９４は、送信すべき通信データＤを記憶するものである。情報処理部９３は、制御部３４から制御部９６に対して供給された通信データＤを記憶部９４に記憶するように制御するとともに、その通信データＤを表示装置１０に対して送信するように、通信制御部９２に対して指示するものである。通信制御部９２は、通信部９１の送信動作を制御するものである。また、通信制御部９２は、後述するように、送信すべき通信データＤのデータ種別が“レコードデータ”である場合において、通信部９１と表示装置１０との間の通信が失敗した場合に、所定の時間間隔で、通信が成功するまでその通信データＤの送信動作を行うものである。制御部９６は、これらのブロックを制御するものである。
【００８５】
ここで、通信モジュール９０は、本開示における第２の通信モジュールの一具体例に対応する。通信制御部９２は、本開示における第２の通信モジュールに係る「制御部」の一具体例に対応する。
【００８６】
図１１は、通信が成功しない場合における、通信部９１の送信動作例を表すものである。無線通信は、例えば携帯情報端末と表示装置１０との間で通信を行う際、携帯情報端末と表示装置１０とが離れている場合には、失敗するおそれがある。また、無線通信は、その周波数帯が例えば電子レンジの周波数帯と同じである場合などにおいて、電子レンジが動作している場合に、失敗するおそれがある。電子機器システム２では、通信部９１は、このような場合において、通信が成功するまで送信動作を繰り返し行う。具体的には、通信部９１は、図１１に示したように、上記第１の実施の形態に係る通信部３３の場合（図６（Ａ））と同様に、送信期間Ｐdにおいて通信データＤの送信動作を繰り返し行う。そして、送信期間Ｐdにおいて通信が成功しない場合には、所定の時間間隔（送信停止期間Ｐds）をあけて、再度の送信期間Ｐdを設け、送信データＤの送信動作を行う。通信部９１は、通信が成功するまで、この動作を繰り返す。ここで、送信期間停止期間Ｐdsの時間は、例えば１［min］に設定可能である。
【００８７】
図１２は、通信モジュール９０の一動作例を表すものである。通信モジュール９０では、記憶部９４に記憶された通信データＤのデータ種別が“レコードデータ”である場合において、通信が成功するまで、その通信データＤを繰り返し送信する。以下に、その詳細を説明する。
【００８８】
まず最初に、情報処理部９３は、通信データＤを記憶部９４に記憶する（ステップＳ２１）。具体的には、制御部９６は、制御部３４から、送信すべき通信データＤを受け取り、情報処理部９３が、その通信データＤを記憶部９４に記憶する。
【００８９】
次に、通信部９１は、その通信データＤを表示装置１０に対して送信する（ステップＳ２２）。具体的には、まず、情報処理部９３が、送信の指示を通信制御部９２に対して行う。そして、通信制御部９２は、情報処理部９３からの指示に基づいて通信部９１を制御し、通信部９１は、記憶部９４に記憶された通信データＤを表示装置１０に対して送信する。
【００９０】
次に、通信制御部９２は、通信が成功したかどうかを確認する（ステップＳ２３）。通信が成功した場合にはステップＳ２４に進み、通信が失敗した場合にはステップＳ２５に進む。
【００９１】
ステップＳ２３において、通信が成功した場合には、通信制御部９２は、記憶部９４に記憶されている通信データＤを消去する（ステップＳ２４）。そして、このフローは終了する。
【００９２】
また、ステップＳ２３において、通信が失敗した場合には、通信制御部９２は、通信データＤのデータ種別が“レコードデータ”であるかどうかを確認する（ステップＳ２５）。具体的には、通信制御部９２は、通信データＤのデータ識別コードＤＣに基づいて、その通信データＤのデータ種別が“レコードデータ”であるかどうかを確認する。そのデータ種別が“レコードデータ”でない場合にはステップＳ２６に進み、そのデータ種別が“レコードデータ”である場合にはステップＳ２７に進む。
【００９３】
ステップＳ２５において、通信データＤのデータ種別が“レコードデータ”でない場合には、通信制御部９２は、情報処理部９３に対して、通信が失敗した旨を通知する（ステップＳ２６）。そして、このフローは終了する。
【００９４】
また、ステップＳ２５において、通信データＤのデータ種別が“レコードデータ”である場合には、具体的には、通信制御部９２は、通信部９１が所定時間（送信停止期間ＰＳ）の間、送信を停止するように制御する（ステップＳ２７）。そして、その所定時間が経過後、ステップＳ２２に戻る。そして、通信が成功するまで、通信データＤの送信を行う。
【００９５】
以上でこのフローは終了する。
【００９６】
このように、体重計７０の通信モジュール９０は、通信データＤの通信が失敗した場合において、その通信データＤに基づいて、その通信データＤのその後の再送信を判断する。
【００９７】
具体的には、上述したように、通信モジュール９０は、通信データＤのデータ種別が“レコードデータ”である場合には、その通信データＤは確実に表示装置１０に送信する必要がある重要なものであると判断し、送信が成功するまで、通信データＤの送信を繰り返して行う。
【００９８】
また、通信モジュール９０は、通信データＤのデータ種別が“レコードデータ”でない場合（例えば表示装置１０を遠隔操作するための制御コードなど）には、その通信データＤはさほど重要ではないものと判断し、通信データＤの再送信を行わず、情報処理部９３に対して、通信が失敗した旨を通知する。これにより、その後にユーザが体重計７０の電源をオン状態にしたときに、送信が失敗したことをユーザに通知することができる。このとき、記憶部９４は、この通信データＤを記憶したままであるため、たとえば、ユーザの指示に基づいて再度送信を行うようにすることも可能である。
【００９９】
このように、通信モジュール９０は、通信データＤの送信が失敗した場合において、通信データＤに基づいて、その通信データＤのその後の再送信を判断するようにしたので、必要性の低い通信データＤの送信を繰り返すことがないため、通信モジュール９０の消費電力を低減することができる。
【０１００】
上述したように、通信モジュール９０は、体重計７０の動作モードに依らず、動作することができる。そして、通信モジュール９０は、記憶部９４を有しているため、体重計７０の動作モードに依らず、通信データＤを送信することができる。具体的には、図１２において、制御部３４が、送信すべき通信データＤを通信モジュール９０に送信し、この通信データが記憶部９４に記憶された後（ステップＳ２１の後）、体重計７０はスタンバイ状態になってもよい。この場合でも、通信モジュール９０は、記憶部９４に記憶された通信データＤを表示装置１０に対して送信することができる。言い換えれば、通信データＤを送信するために、体重計７０を通常状態にしておく必要はないので、体重計７０をスタンバイ状態にすることにより消費電力を低減することができる。
【０１０１】
以上のように本実施の形態では、通信モジュールに記憶部を設けたので、通信データを送信する際に体重計をスタンバイ状態にすることができるため、消費電力を低減することができる。
【０１０２】
また、本実施の形態では、通信データの通信が失敗した場合において、通信データに基づいて、その通信データのその後の再送信を判断するようにしたので、必要性の低い通信データの送信を繰り返すことがないため、通信モジュールの消費電力を低減することができる。
【０１０３】
その他の効果は、上記第１の実施の形態の場合と同様である。
【０１０４】
［変形例２］
上記第１の実施の形態の変形例と同様に、電子機器システム２は、表示装置１０と通信データＤをやり取りする電子機器であれば、例えば携帯情報端末など、どのような電子機器を備えていてもよい。
【０１０５】
以上、いくつかの実施の形態および変形例を挙げて本技術を説明したが、本技術はこれらの実施の形態等には限定されず、種々の変形が可能である。
【０１０６】
例えば、上記の各実施の形態では、電子機器システムは、表示装置１０を備えるようにしたが、これに限定されるものではなく、これに代えて、例えばパーソナルコンピュータなど、他のどのような電子機器を備えていてもよい。
【０１０７】
例えば、上記の各実施の形態では、電子機器システムは、表示装置１０を備えるようにしたが、これに限定されるものではなく、これに代えて、例えばパーソナルコンピュータなど、他のどのような電子機器を備えていてもよい。
【０１０８】
例えば、上記の各実施の形態では、電子機器システムは、表示装置と、体重計や血圧計との間で通信データＤをやり取りし、体重計、血圧計から送信された通信データＤを表示装置において表示するようにしたが、これに限定されるものではなく、これに代えて、例えば、プリンタとパーソナルコンピュータとの間で通信データをやり取りし、パーソナルコンピュータから送信された通信データをプリンタにおいて印刷してもよい。この場合、例えば、通信データのデータ種別として“優先データ”を準備し、プリンタキューに複数の通信データがある場合において、そのデータ種別が“優先データ”である通信データを優先して印刷するようにしてもよい。
【０１０９】
また、例えば、上記の各実施の形態では、通信モジュール５０は表示装置１０に内蔵されているものとしたが、これに限定されるものではなく、これに代えて、通信モジュール５０は表示装置１０に外付けされるものであってもよい。
【０１１０】
また、例えば、上記の各実施の形態では、リモコン、体重計および血圧計は通信データＤを送信し、表示装置１０がその通信データＤを受信するものとしたが、これに限定されるものではない。例えば、表示装置１０は、通信データＤを受信する機能に加え、通信データＤを送信する機能を有していても良い。この場合、例えば、表示装置１０は、上記第２の実施の形態に係る通信モジュール９０と同様の送信機能を有していても良い。また、例えば、リモコン、体重計および血圧計は、通信データＤを送信する機能に加え、通信データＤを受信する機能を有していても良い。この場合、例えば、これらのリモコンなどは、通信モジュール５０と同様の受信機能を有していてもよい。
【０１１１】
また、例えば、上記の各実施の形態では、通信データＤのデータ種別は、制御データ、レコードデータ、エマージェンシーデータの３つとしたが、これに限定されるものではなく、表示装置１０の通信制御部５２が、これに基づいて通信データＤに対する受信後の処理を判断するためのものであればどのようなものであってもよい。
【０１１２】
また、例えば、上記の各実施の形態では、リモコン、体重計および血圧計は、表示装置１０と無線通信手段Ｍを用いて通信データＤをやりとりするものとしたが、これに限定されるものではなく、これに代えて、例えば、有線通信手段を用いるようにしてもよい。
【０１１３】
なお、本技術は以下のような構成とすることができる。
【０１１４】
（１）通信部と、
接続されたホスト機器の電源状態、または、前記通信部が外部機器から受け取った受信データの種類、またはその双方に応じて、その受信データの取り扱いを決定する制御部と
を備えた通信モジュール。
【０１１５】
（２）記憶部をさらに備え、
前記制御部は、前記ホスト機器の電源がオフ状態である場合に、前記受信データを前記記憶部に格納させるように制御を行う
前記（１）に記載の通信モジュール。
【０１１６】
（３）前記制御部は、前記受信データが緊急性を要しないものである場合に、前記受信データを前記記憶部に格納させるように制御を行う
前記（２）に記載の通信モジュール。
【０１１７】
（４）前記制御部は、前記ホスト機器の電源がオフ状態からオン状態へと遷移したとき、前記記憶部から前記受信データを読み出して前記ホスト機器に送る
前記（２）または（３）に記載の通信モジュール。
【０１１８】
（５）前記制御部は、前記受信データが前記ホスト機器を制御するためのコマンドデータであるとき、制御コマンドを前記ホスト機器に向けて発するように制御を行う
前記（１）から（４）のいずれかに記載の通信モジュール。
【０１１９】
（６）前記制御部は、前記ホスト機器の電源がオフ状態であったとき、前記ホスト機器を起動させるための起動コマンドを含む１または複数の制御コマンドを前記ホスト機器に向けて発するように制御を行う
前記（５）に記載の通信モジュール。
【０１２０】
（７）前記制御部は、前記受信データが緊急性を要するものであるとき、前記通信部を介して前記受信データを外部に転送するように制御を行う
前記（１）から（６）のいずれかに記載の通信モジュール。
【０１２１】
（８）前記制御部は、前記ホスト機器の電源がオフ状態となったときに、節電モードに移行する
前記（１）から（７）のいずれかに記載の通信モジュール。
【０１２２】
（９）前記制御部は、前記節電モードにおいて、前記通信部を間欠的に動作させる
前記（８）に記載の通信モジュール。
【０１２３】
（１０）前記制御部は、前記ホスト機器の電源がオン状態に復帰したときに、通常モードに移行する
前記（８）または（９）に記載の通信モジュール。
【０１２４】
（１１）前記受信データは、その受信データの種類を示す識別コードを有する
前記（１）から（１０）のいずれかに記載の通信モジュール。
【０１２５】
（１２）前記制御部は、さらに、
ホスト機器から受け取った送信データを前記記憶部に格納させると共に、前記記憶部から前記送信データを読み出して前記通信部を介して外部に送信するように制御を行い、
前記通信部が前記送信データの送信に失敗した場合に、その送信データの種類に応じて、再送信の是非を判断する
前記（１）から（１１）のいずれかに記載の通信モジュール。
【０１２６】
（１３）接続されたホスト機器から受け取った送信データを格納する記憶部と、
前記記憶部から前記送信データを読み出して外部に送信する通信部と、
前記通信部が前記送信データの送信に失敗した場合に、その送信データの種類に応じて、再送信の是非を判断する制御部と
を備えた通信モジュール。
【０１２７】
（１４）送信モジュールと、
前記送信モジュールから送信されたデータを受信する受信モジュールと
を備え、
前記送信モジュールは、
接続された送信側ホスト機器から受け取った送信データを格納する記憶部と、
前記記憶部から前記送信データを読み出して外部に送信する送信部と、
前記送信部が前記送信データの送信に失敗した場合に、その送信データの種類に応じて、再送信の是非を判断する送信制御部と
を有し、
前記受信モジュールは、
受信部と、
接続された受信側ホスト機器の電源状態、または、前記受信部が前記送信モジュールから受け取った受信データの種類、またはその双方に応じて、前記受信データの取り扱いを決定する制御部と
を有する
通信システム。
【符号の説明】
【０１２８】
１，２…電子機器システム、８…ネットワークケーブル、９…インターネット、１０…表示装置、１１…チューナ、１２…表示制御部、１３…表示駆動部、１４，３２…表示部、１５…記憶部、１６，７１…電源制御部、２０…リモコン、２１…入力部、２２，３３，５１，９１…通信部、２３，３４，９６…制御部、３０，７０…体重計、３１…測定部、４０…血圧計、５０，９０…通信モジュール、５２，９２…通信制御部、５３，９３…情報処理部、５４，９４…記憶部、５５…ネットワークインターフェース部、５６…制御部、
ＤＣ…データ識別コード、ＤＰ…データペイロード、ＰＣ１０，ＰＣ７０…電源制御信号、Ｐｄ…送信期間、Ｐrec…受信動作期間、ＰＳ…送信停止期間、Ｔdrv…送信動作周期、Ｔrec…受信動作周期。
【図１】
2012217069.tif 000003
【図２】
2012217069.tif 000004
【図３】
2012217069.tif 000005
【図４】
2012217069.tif 000006
【図５】
2012217069.tif 000007
【図６】
2012217069.tif 000008
【図７】
2012217069.tif 000009
【図８】
2012217069.tif 000010
【図９】
2012217069.tif 000011
【図１０】
2012217069.tif 000012
【図１１】
2012217069.tif 000013
【図１２】
2012217069.tif 000014